(57)【特許請求の範囲】
【請求項１】
給水通路から供給される水を加熱して給湯通路へ送出する給湯熱交換器と、浴槽湯水の追い焚き循環通路に組み込まれ循環湯水の追い焚きを行う追い焚き熱交換器とが一体化され、この一体化された給湯熱交換器と追い焚き熱交換器を燃焼ファンによって供給される燃焼空気を利用して共通のバーナによって燃焼加熱する方式と成して、前記一体化された給湯熱交換器と追い焚き熱交換器は前記バーナよりも燃焼空気の流れの下流側に配される一缶二水路給湯装置において、前記バーナは少なくとも追い焚き熱交換器の水管の出口側に配置される第１の燃焼面と、この第１の燃焼面よりは追い焚き熱交換器の水管の前記出口側よりも湯水の流れの上流側となる位置に配置される第２の燃焼面とを有し、浴槽湯水の追い焚き単独運転中のバーナの燃焼状態時には前記バーナの第１の燃焼面は常時燃焼駆動させ第２の燃焼面は予め与えられる条件のもとで燃焼と燃焼停止を切り替え駆動する燃焼面駆動制御部が設けられていることを特徴とする一缶二水路給湯装置。
【請求項２】
第１の燃焼面に対応する位置の給湯熱交換器内湯温又は水管温度を検出する第１の温度センサと、第２の燃焼面に対応する位置の給湯熱交換器内湯温又は水管温度を検出する第２の温度センサとを備え、追い焚き単独運転において燃焼面駆動制御部は第１又は（および）第２の温度センサの検出温度が予め与えられる上側しきい値温度以上のときに第１および第２の複数燃焼面の燃焼駆動から第１の燃焼面の単面燃焼駆動に切り替え、第１および（又は）第２の温度センサの検出温度が下側しきい値温度以下のときに第１の燃焼面の単面燃焼駆動から第１および第２の複数燃焼面の燃焼駆動に切り替える構成とした請求項１記載の一缶二水路給湯装置。
【請求項３】
追い焚き単独運転において燃焼面駆動制御部は第１又は（および）第２の温度センサの検出温度が上側しきい値温度よりも上側に与えられる沸騰危険温度以上となったときにバーナの燃焼を中断停止し、このバーナの燃焼中断停止中に第１および（又は）第２の温度センサの検出温度が前記沸騰危険温度よりも下側に与えられる燃焼オン温度以下に低下したときに第１の燃焼面又は第１および第２の複数燃焼面の燃焼駆動を再開させる構成とした請求項２記載の一缶二水路給湯装置。
【請求項４】
追い焚き単独運転の第１の燃焼面の単面燃焼駆動時にはバーナの燃焼能力は第１の燃焼面に対応する位置における給湯熱交換器内の湯が沸騰する温度よりも低い加熱温度の能力に制限されている請求項１又は請求項２又は請求項３記載の一缶二水路給湯装置。
【請求項５】
浴槽内湯温を検出する風呂温度センサが設けられ、燃焼面駆動制御部は前記風呂温度センサの浴槽内湯温検出温度が風呂沸き上がり温度よりも下側に与えられる沸き上がり手前温度を越えて沸き上がりに至る期間は、第１又は（および）第２の温度センサの検出温度が上側しきい値温度よりも上側に与えられる沸騰危険温度以上となったときにバーナの燃焼を中断停止し、このバーナの燃焼中断停止中に第１および（又は）第２の温度センサの検出温度が前記沸騰危険温度よりも下側に与えられる燃焼オン温度以下に低下したときに第１および第２の複数燃焼面の燃焼駆動を行う構成とした請求項２乃至請求項４のいずれか１つに記載の一缶二水路給湯装置。
【請求項６】
第１の燃焼面の単面燃焼駆動開始時からの単面燃焼の連続燃焼時間を計測する時間計測手段が設けられ、燃焼面駆動制御部は第１の燃焼面の単面燃焼の連続燃焼時間が予め与えられる判定基準時間を越えた以降の沸き上がりに至る期間は第１又は（および）第２の温度センサの検出温度が上側しきい値温度よりも上側に与えられる沸騰危険温度以上となったときにバーナの燃焼を中断停止し、このバーナの燃焼中断停止中に第１および（又は）第２の温度センサの検出温度が前記沸騰危険温度よりも下側に与えられる燃焼オン温度以下に低下したときに第１および第２の複数燃焼面の燃焼駆動を行う構成とした請求項２乃至請求項４のいずれか１つに記載の一缶二水路給湯装置。
【発明の詳細な説明】
【０００１】
【発明の属する技術分野】
本発明は給湯熱交換器と追い焚き熱交換器を共通のバーナによって加熱する一缶二水路給湯装置に関するものである。
【０００２】
【従来の技術】
給湯熱交換器と追い焚き熱交換器を共通のバーナによって加熱する一缶二水路給湯装置が知られており（例えば特開平７−９８１１５号公報）、図６にはそのシステムの一例が示されている。同図において、フィン（フィンプレート）４には給湯熱交換器２の水管と追い焚き熱交換器３の水管とが挿通装着されて、給湯熱交換器２と追い焚き熱交換器３とが一体化され、この一体化された給湯熱交換器２と追い焚き熱交換器３はバーナ５ａ，５ｂによって加熱される構成となっており、バーナ５ａは追い焚き熱交換器３の出口側に配置され、バーナ５ｂはバーナ５ａよりも追い焚き熱交換器３の入口側（入水側）に並列配置されている。
【０００３】
給湯熱交換器２の入口側には給水管11が接続され、その給水管11には給水温度を検出する給水温度センサ12が設けられている。給湯熱交換器２の出側には給湯管14が接続され、その給湯管14には給湯熱交換器２からの出湯温度を検出する給湯温度センサ15と、給湯流量（給水流量）を検出する流量センサ13が設けられており、給湯管14の先端側には水栓30が設けられている。また、給湯熱交換器２には、バーナ５ａの対応位置、つまり、バーナ５ａの直上位置にはその位置の給湯熱交換器２内の湯温又は給湯熱交換器２の水管の温度を検出する第１の温度センサ31が設けられ、同様に、給湯熱交換器２のバーナ５ｂに対応する位置にはその位置の給湯熱交換器２内の湯温又は水管温度を検出する第２の温度センサ32が配置されている。
【０００４】
前記追い焚き熱交換器３の入口側は戻り管20に接続され、その戻り管20の入口側は浴槽18の側壁に連通接続され、追い焚き熱交換器３の出側は管路16に接続され、その管路16の出側は循環ポンプ17の吸込側に接続されている。そして、循環ポンプ17の吐出側は往管22を介して浴槽18の側壁に連通接続され、浴槽18から戻り管20、追い焚き熱交換器３、管路16、循環ポンプ17、往管22を介して浴槽18に至る経路は追い焚き循環通路23を形成している。
【０００５】
バーナ５ａ，５ｂは電磁弁７ａ，７ｂを介してガス通路19に接続されており、このガス通路19にはバーナ５ａ，５ｂに供給するガス供給量を開弁量によって制御する比例弁10が介設されている。これらバーナ５ａ，５ｂの燃焼の給排気は燃焼ファン６により行われている。
【０００６】
給湯装置の燃焼運転を制御する制御装置27にはリモコン28が接続され、このリモコン28には追い焚きを指令する追い焚きスイッチと、運転スイッチと、給湯温度を設定する給湯温度設定手段と、風呂設定温度（風呂の沸き上がり温度）を設定する手段と、風呂の設定水位を設定する手段と、設定した温度や水位を表示する表示手段等が設けられている。
【０００７】
制御装置27は、給水温度センサ12で検出される給水温度Ｔc と、給湯温度センサ15で検出される出湯温度Ｔh と、流量センサ13で検出される流量Ｑと、風呂温度センサ21で検出される浴槽内湯温Ｔf と、第１および第２の温度センサ31，32によって検出される検出温度Ｔ1 ，Ｔ2 と、リモコン28から加えられる信号とに基づき、電磁弁７ａ，７ｂや比例弁10や燃焼ファン６や循環ポンプ17等の動作を制御して給湯運転と追い焚き運転を制御する。なお、図６中、33はバーナ５ａ，５ｂを点火する点火器、34はその点火状態を検出するフレームロッドをそれぞれ示している。
【０００８】
前記制御装置27は給湯運転（湯張り運転）と追い焚き運転を次のように制御する。給湯運転は水栓30が開けられることにより開始する。すなわち、水栓30が開けられて、流量センサ13により流量が検出されると、制御装置27は、燃焼ファン６を回転し、電磁弁７ａ，７ｂおよび比例弁10を開き、点火器33を動作させてバーナ５ａ，５ｂを燃焼させ、出湯温度が設定温度となるように比例弁10の開弁量を制御し、設定温度の湯を給湯熱交換器２で作り出してこれを給湯する。そして、水栓30が閉められて、流量センサ13からオフ信号が加えられたときに、バーナ５ａ，５ｂの燃焼を停止して給湯運転を終了する。
【０００９】
また、リモコン28から追い焚き指令が加えられたときには、循環ポンプ17を回転駆動し、浴槽18内の湯水を追い焚き循環通路23を介して循環させ、バーナ５ａおよび（又は）５ｂを燃焼し、追い焚き熱交換器３を通る循環湯水を加熱して浴槽18内湯水を追い焚きする。
【００１０】
この追い焚きに際し、制御装置27は、追い焚きの開始に際し、風呂温度センサ21で検出される風呂温度と、風呂設定温度とに基づき、初期加熱量Ｆ0 を演算し、この初期加熱量Ｆ0 がバーナ５ａ，５ｂの同時燃焼時の最小燃焼熱量（最小燃焼能力）よりも大きい場合は温度センサ31や32の検出温度Ｔ1 ，Ｔ2 に基づき、ＰＩ演算によってＰＩ制御量（ＰＩ制御熱量）ＦB を求める。そして、初期加熱量Ｆ0 とＰＩ制御量ＦB を加算したトータル加熱量Ｆが得られるように比例弁10の開弁量を制御してバーナ５ａ，５ｂの同時燃焼により追い焚きを行う。
【００１１】
一方、トータル加熱量Ｆがバーナ５ａ，５ｂの同時燃焼時の最小燃焼能力よりも小さい場合には、バーナ５ａ，５ｂの燃焼能力を同時燃焼時の最小燃焼能力に設定し、バーナ５ａ，５ｂを切り替える切り替え燃焼モードでもって燃焼させる。
【００１２】
また、追い焚き開始時に演算される初期加熱量Ｆ0 がバーナ５ａと５ｂの同時燃焼時の最小燃焼能力よりも小さい場合にはこの初期加熱量Ｆ0 とＰＩ演算によって求まるＰＩ制御量ＦB とのトータル加熱量Ｆがバーナ５ｂの単独燃焼時の最小燃焼能力よりも小さいか否かを判断し、トータル加熱量Ｆがバーナ５ｂの単独燃焼時の最小燃焼能力よりも大きい場合にはトータル加熱量Ｆが得られるように比例弁10を制御してバーナ５ｂの単独燃焼を行い、また、トータル加熱量Ｆがバーナ５ｂの単独燃焼時の最小燃焼能力よりも小さい場合には燃焼能力を単独燃焼時の最小燃焼能力に固定し、バーナ５ｂと５ａの燃焼切り替えによる追い焚きを行う。
【００１３】
前記バーナ５ａと５ｂの同時燃焼時のトータル加熱量Ｆがバーナ５ａ，５ｂの同時燃焼時の最小燃焼能力よりも小さい場合およびバーナ５ｂの単独燃焼時におけるトータル加熱量Ｆがそのバーナ５ｂの単独燃焼時の最小燃焼能力よりも小さい場合のバーナ切り替え燃焼による運転は、給湯熱交換器２側の温度センサ31，32の検出温度Ｔ1 ，Ｔ2 に基づきバーナ５ａ，５ｂの燃焼を次のように切り替えて追い焚きを行う。
【００１４】
すなわち、バーナ５ｂの燃焼に際しては、第２の温度センサ32により給湯側の検出温度Ｔ2 を取り込み、その検出温度Ｔ2 が所定値を越えたときにバーナ５ａの燃焼に切り替え、このバーナ５ａの燃焼中にその直上位置に設けられる第１の温度センサ31の検出温度Ｔ1 が所定値を越えたときにバーナ５ｂの燃焼に切り替えるという如く、バーナ５ａ，５ｂを交互に燃焼させて、追い焚き運転中に、給湯熱交換器２内に滞留している湯水が沸騰するのを防止するものである。
【００１５】
【発明が解決しようとする課題】
しかしながら、前記従来装置の追い焚き運転に際しては、ＰＩ制御量ＦB を給湯熱交換器２側に設置される温度センサ31，32の検出温度に基づき算出する方式であるため、そのＰＩ制御量ＦB を求める演算が複雑になり、これに伴い、追い焚き制御の制御構成が複雑化するとい問題がある。
【００１６】
また、バーナ５ａ，５ｂのうちの一方を燃焼する単独燃焼のモードにおいては、トータル加熱量Ｆがバーナ５ｂ単独燃焼時の最小燃焼能力よりも大きい場合には、追い焚き熱交換器３の出口側のバーナ５ａではなく、それよりも入口側のバーナ５ｂを燃焼する方式であるため、バーナ５ｂを単独燃焼する際には、非燃焼のバーナ５ａ側には燃焼ファン６から空気が供給されるために、バーナ５ｂで追い焚き熱交換器３を加熱しても、その加熱された湯が追い焚き熱交換器３の出口側から出る経路の途中でファン通風により冷却されて浴槽18に供給されることとなり、折角バーナ５ｂ側で加熱するにも拘わらず、バーナ５ａ側で冷却して追い焚き熱交換器３から湯を送り出す結果となり、このため、浴槽内湯水が沸き上がるまでに時間がかかるという問題が生じる。
【００１７】
また、バーナ５ａ，５ｂの切り替え燃焼においても、バーナ５ａ，５ｂを交互に燃焼加熱する方式であるため、バーナ５ｂが燃焼しているときには、同様に、非燃焼側のバーナ５ａ側は燃焼ファン６のファン通風により折角バーナ５ｂで加熱したにも拘わらず冷却されて浴槽18へ送り出されるため、追い焚きの沸き上がり時間が長くかかるという問題が生じる。
【００１８】
本発明は上記課題を解決するために成されたものであり、その目的は、追い焚き運転制御の制御構成をより簡易化し、複数のバーナの切り替え燃焼に際し、一方側のバーナで燃焼加熱した湯を追い焚き熱交換器の出側で冷却するという追い焚き加熱の無駄をなくし、追い焚きの沸き上がり時間を早めることができる一缶二水路給湯装置を提供することにある。
【００１９】
【課題を解決するための手段】
本発明は上記目的を達成するために、次のような手段を講じている。すなわち、第１の発明は、給水通路から供給される水を加熱して給湯通路へ送出する給湯熱交換器と、浴槽湯水の追い焚き循環通路に組み込まれ循環湯水の追い焚きを行う追い焚き熱交換器とが一体化され、この一体化された給湯熱交換器と追い焚き熱交換器を燃焼ファンによって供給される燃焼空気を利用して共通のバーナによって燃焼加熱する方式と成して、前記一体化された給湯熱交換器と追い焚き熱交換器は前記バーナよりも燃焼空気の流れの下流側に配される一缶二水路給湯装置において、前記バーナは少なくとも追い焚き熱交換器の水管の出口側に配置される第１の燃焼面と、この第１の燃焼面よりは追い焚き熱交換器の水管の前記出口側よりも湯水の流れの上流側となる位置に配置される第２の燃焼面とを有し、浴槽湯水の追い焚き単独運転中のバーナの燃焼状態時には前記バーナの第１の燃焼面は常時燃焼駆動させ第２の燃焼面は予め与えられる条件のもとで燃焼と燃焼停止を切り替え駆動する燃焼面駆動制御部が設けられている構成をもって課題を解決する手段としている。
【００２０】
また、第２の発明は、前記第１の発明の構成を備えたものにおいて、第１の燃焼面に対応する位置の給湯熱交換器内湯温又は水管温度を検出する第１の温度センサと、第２の燃焼面に対応する位置の給湯熱交換器内湯温又は水管温度を検出する第２の温度センサとを備え、追い焚き単独運転において燃焼面駆動制御部は第１又は（および）第２の温度センサの検出温度が予め与えられる上側しきい値温度以上のときに第１および第２の複数燃焼面の燃焼駆動から第１の燃焼面の単面燃焼駆動に切り替え、第１および（又は）第２の温度センサの検出温度が下側しきい値温度以下のときに第１の燃焼面の単面燃焼駆動から第１および第２の複数燃焼面の燃焼駆動に切り替える構成としたことをもって課題を解決する手段としている。
【００２１】
さらに第３の発明は、前記第２の発明の構成を備えたものであって、追い焚き単独運転において燃焼面駆動制御部は第１又は（および）第２の温度センサの検出温度が上側しきい値温度よりも上側に与えられる沸騰危険温度以上となったときにバーナの燃焼を中断停止し、このバーナの燃焼中断停止中に第１および（又は）第２の温度センサの検出温度が前記沸騰危険温度よりも下側に与えられる燃焼オン温度以下に低下したときに第１の燃焼面又は第１および第２の複数燃焼面の燃焼駆動を再開させる構成としたことをもって課題を解決する手段としている。
【００２２】
さらに第４の発明は、前記第１又は第２又は第３の発明の構成を備えたものにおいて、追い焚き単独運転の第１の燃焼面の単面燃焼駆動時にはバーナの燃焼能力は第１の燃焼面に対応する位置における給湯熱交換器内の湯が沸騰する温度よりも低い加熱温度の能力に制限されている構成をもって課題を解決する手段としている。
【００２３】
さらに第５の発明は、前記第２乃至第４のいずれか１つの発明の構成を備えたものにおいて、浴槽内湯温を検出する風呂温度センサが設けられ、燃焼面駆動制御部は前記風呂温度センサの浴槽内湯温検出温度が風呂沸き上がり温度よりも下側に与えられる沸き上がり手前温度を越えて沸き上がりに至る期間は、第１又は（および）第２の温度センサの検出温度が上側しきい値温度よりも上側に与えられる沸騰危険温度以上となったときにバーナの燃焼を中断停止し、このバーナの燃焼中断停止中に第１および（又は）第２の温度センサの検出温度が前記沸騰危険温度よりも下側に与えられる燃焼オン温度以下に低下したときに第１および第２の複数燃焼面の燃焼駆動を行う構成としたことをもって課題を解決する手段としている。
【００２４】
さらに第６の発明は、前記第２乃至第４の発明のいずれか１つの構成を備えたものにおいて、第１の燃焼面の単面燃焼駆動開始時からの単面燃焼の連続燃焼時間を計測する時間計測手段が設けられ、燃焼面駆動制御部は第１の燃焼面の単面燃焼の連続燃焼時間が予め与えられる判定基準時間を越えた以降の沸き上がりに至る期間は第１又は（および）第２の温度センサの検出温度が上側しきい値温度よりも上側に与えられる沸騰危険温度以上となったときにバーナの燃焼を中断停止し、このバーナの燃焼中断停止中に第１および（又は）第２の温度センサの検出温度が前記沸騰危険温度よりも下側に与えられる燃焼オン温度以下に低下したときに第１および第２の複数燃焼面の燃焼駆動を行う構成としたことをもって課題を解決する手段としている。
【００２５】
上記構成の発明において、追い焚き単独運転の開始時には、第１の燃焼面と第２の燃焼面が共に燃焼開始する。そして、第１のバーナに対応する給湯熱交換器側の第１の温度センサと、第２のバーナに対応する給湯熱交換器側の第２の温度センサの一方（又は両方）の検出温度が上側しきい値温度以上となったときに、第１および第２の複数燃焼面の燃焼駆動から第１の燃焼面の単面燃焼駆動に切り替えて追い焚き運転が行われる。
【００２６】
そして、第１および第２の温度センサの一方又は両方の検出温度が下側しきい値温度以下になったときに、第１の燃焼面の単面燃焼駆動から第１および第２の複数燃焼面の燃焼駆動に切り替えて追い焚き運転が行われる。
【００２７】
このように、本発明では、バーナの燃焼時には、追い焚き熱交換器の出側に配置される第１の燃焼面は常時燃焼状態にあり、バーナで一旦燃焼加熱した追い焚き熱交換器の湯をファン通風により出側で冷却するということなく第１の燃焼面で燃焼加熱した湯をそのまま追い焚き熱交換器から浴槽へ送り出すので、ファン通風による湯の冷却の無駄がなく、追い焚き時間を早めることができ、バーナによる追い焚き運転の燃焼加熱効率を高めることが可能となる。
【００２８】
【発明の実施の形態】
以下、本発明の実施形態例を図面に基づき説明する。図２には本実施形態例の一缶二水路給湯装置のシステム構成が前記図６のシステムと同一の名称部分には同一符号を付して示されており、従来例と同一の部分の重複説明は省略する。本実施形態例のシステムが従来例と異なることは、１つのバーナ５のユニットを第１の燃焼面Ａと第２の燃焼面Ｂに区分して第１の燃焼面Ａは追い焚き熱交換器３の出側に配置し、第２の燃焼面は燃焼面Ａよりも追い焚き熱交換器３の入口側に配置し、電磁弁７ａを開けることによりＡ面を燃焼させ、電磁弁７ａと７ｂを開けることによりＡ面とＢ面の両面を燃焼させる構成としている。
【００２９】
また、本実施形態例では、給湯熱交換器２の上側に追い焚き熱交換器３を配置し、給湯熱交換器２側には、第１の燃焼面Ａに対応する給湯熱交換器２の位置の給湯熱交換器内湯温又は水管表面の温度を検出する第１の温度センサ３１を設け、第２の燃焼面Ｂに対応する給湯熱交換器２の位置には、その位置の給湯熱交換器２内の湯温又は水管表面の温度を検出する第２の温度センサ３２が設けられている。また、図５に示すように、給湯熱交換器２の最下段の水管３５と追い焚き熱交換器３の最下段の水管３６は接触状態とし、追い焚き単独運転を行う場合に、給湯熱交換器２の水管３５内の滞留した湯水の加熱熱量が追い焚き熱交換器３の循環水側に吸熱され易くし、給湯熱交換器側の水管３５内の湯温上昇を緩和させる構成となっている。
【００３０】
また、給湯管14と追い焚き循環通路23の管路16は湯張り通路24によって連通接続されており、この湯張り通路24に注湯弁25と浴槽18の水位を水圧によって検出する水位センサ（圧力センサ）26が設けられており、注湯弁25を開けることにより、給湯熱交換器２側で作り出した湯を給湯管14から湯張り通路24、追い焚き循環通路23を順に介して浴槽18へ落とし込み、自動湯張りの運転が可能となっている。なお、この湯張り通路24は省略することも可能である。この図２に示す本実施形態例のシステムは、前記従来例と同様な動作で給湯運転を行う他に、従来例とは異なる特徴的な追い焚き単独運転の制御構成を備えている。
【００３１】
この特徴的な追い焚き単独運転の制御構成は制御装置27内に構成されるもので、そのブロック構成が図１に示されている。
【００３２】
本実施形態例の追い焚き単独運転の特徴的な制御の基本構成は、燃焼面駆動制御部37と、風呂燃焼制御部38と、データメモリ40とを有して構成されている。データメモリ40には給湯熱交換器２内の湯が沸騰の危険温度となる沸騰危険温度ＴOFF （例えば95℃）と、それよりも低温側の上側しきい値温度Ｔth1 （例えば85℃）と、それよりも低温側の下側しきい値温度Ｔth2 （例えば83℃）と、燃焼オン温度ＴON（例えば78℃）と、第１の燃焼面であるＡ面のみでバーナ５を燃焼させたときに、この第１の燃焼面Ａの直上側の給湯熱交換器２内の湯が沸騰を起こさない加熱温度となる能力制限熱量ＰLIM のデータがそれぞれ与えられている。なお、能力制限熱量ＰLIM の値は、前もって実験等により求めて与えられる。
【００３３】
燃焼面駆動制御部37は、バーナ５の燃焼面Ａ，Ｂの同時燃焼およびその同時燃焼停止の動作と、燃焼面Ａ，Ｂの同時燃焼と第１の燃焼面Ａのみの単独燃焼の燃焼面切り替え動作とを第１の温度センサ31および第２の温度センサ32の検出情報に基づき駆動制御する。すなわち、燃焼面駆動制御部37は追い焚き単独運転時には、第１の燃焼面Ａと第２の燃焼面Ｂを同時燃焼させて追い焚き運転を開始駆動する。そして、第１の温度センサ31の検出温度Ｔ1 と第２の温度センサ32の検出温度Ｔ2 のどちらか一方（又は両方）が沸騰危険温度ＴOFF 以上となったときには、バーナ５のＡ面（第１の燃焼面）とＢ面（第２の燃焼面）との燃焼を共に中断停止し、この中断停止状態で、第１の検出温度Ｔ1 と第２の検出温度Ｔ2 の両方（又は一方）が燃焼オン温度ＴON以下に低下したときに、Ａ面とＢ面の両面燃焼を開始させる。
【００３４】
また、燃焼面駆動制御部37は、Ａ面とＢ面の両面燃焼状態で、第１の温度センサ31の検出温度Ｔ1 と第２の温度センサ32の検出温度Ｔ2 のどちらか一方（又は両方）が上側しきい値温度Ｔth1 以上のときには、Ａ，Ｂの両面燃焼から、第１の燃焼面Ａのみの単面燃焼駆動に切り替え制御する。そして、この単面燃焼の状態において、第１の温度センサ31の検出温度Ｔ1 と第２の温度センサ32の検出温度Ｔ2 の両方（又は一方）が下側しきい値温度Ｔth2 以下になったときに、Ａ面の単面燃焼からＡ面とＢ面の両面の燃焼駆動に切り替え制御する。
【００３５】
風呂燃焼制御部38はリモコン28等から追い焚き指令が出されたときに、循環ポンプ17を回転駆動し、追い焚き循環通路23に設けられる流水センサ29が循環流水を検出したときに、燃焼ファン６を回転駆動し、比例弁10への開弁駆動電流を制御し、前記燃焼面駆動制御部37のバーナの燃焼面駆動制御と共同して追い焚き単独運転を制御する。この追い焚き単独運転の制御に際し、風呂燃焼制御部38は、バーナ５の燃焼駆動がＡ面のみの単面燃焼の駆動中は、データメモリ40に与えられている能力制限熱量ＰLIM の熱量を発生するように比例弁10の開弁量（ガス供給量）を制御する。
【００３６】
また、バーナ５のＡ面とＢ面の両面燃焼時においては、バーナ５の最小燃焼能力と最大燃焼能力の範囲内の一定の燃焼能力（例えば最大燃焼能力）を供給するように、あるいは、風呂温度センサ21で検出される温度、追い焚き循環通路23を循環する循環流量によって比例弁10の開弁量を制御する。なお、風呂温度センサ21の検出温度、追い焚き循環通路23を循環する循環流量と燃焼すべき比例弁10の開弁量の関係は、予め実験等で求めておく。また、追い焚き循環通路23を循環する循環流量のデータは、追い焚き循環通路23内に流量センサを設けるか、あるいは循環ポンプ17の駆動回転数と流量との関係データを与えておくことにより容易に求められる。
【００３７】
第１の実施形態例は上記のように構成されており、次にその追い焚き単独運転の動作の一例を図３のフローチャートに基づき説明する。なお、この追い焚き運転に際しては、そのシーケンスプログラムの適宜の動作位置で、風呂温度センサ21で検出される温度とリモコン28で設定される風呂設定温度との比較が行われ、風呂検出温度が風呂設定温度に達したときにバーナ５の燃焼停止を行い追い焚き運転を終了する動作が行われるが、動作説明の複雑化を避けるために、図３のフローチャート（後述する図４のフローチャートも同様）においてはこれらの動作は省略してある。
【００３８】
図３において、追い焚き運転は、まず、Ａ面とＢ面の両面燃焼により開始する。そして、ステップ101 で第１の温度センサ31の検出温度が沸騰危険温度ＴOFF 以上になっているか否かを判断する。第１の温度センサ31の検出温度Ｔ1 が沸騰危険温度ＴOFF 以上のときには、給湯熱交換器２内の滞留水湯温が沸騰する危険があるので、ステップ111 でバーナ５の燃焼を中断停止する。ステップ101 でＴ1 がＴOFF 未満のときは、ステップ102 でＴ2 がＴOFF 以上になったか否かを判断する。そして、ＴOFF 以上のときはステップ111 でバーナ５の燃焼を中断停止する。
【００３９】
前記ステップ101 で第１の温度センサ31の検出温度Ｔ1 が沸騰危険温度ＴOFF 未満であるときおよび前記ステップ102 において、第２の温度センサ32の検出温度Ｔ2 が沸騰危険温度ＴOFF 未満のときには、ステップ103 で第１の温度センサ31の検出温度Ｔ1 が上側しきい値温度Ｔth1 以上か否かを判断する。Ｔ1 が上側しきい値温度Ｔth1 以上のときには次のステップ105 でバーナ５をＡＢ両面燃焼からＡ面の単面燃焼に切り替える。ステップ103 でＴ1 がＴth1 未満と判断されたときは、ステップ104 でＴ2 がＴth1 以上であるか否かを判断し、Ｔth1 以上のときは、ステップ105 でバーナ５をＡ面の単独燃焼に切り替える。一方、前記ステップ103 でＴ1 がＴth1 未満と判断され、かつステップ104 でＴ2 がＴth1 未満と判断されたときはＡ面とＢ面の両面燃焼状態を継続する。
【００４０】
前記ステップ105 で第１の燃焼面のＡ面のみの単面燃焼に切り替え駆動された後のステップ106 では第１の温度センサ31の検出温度Ｔ1 が沸騰危険温度ＴOFF 未満であるか否かが判断される。通常は、第１の燃焼面のＡ面のみの燃焼駆動時には、風呂燃焼制御部38により、能力制限熱量ＰLIM によって燃焼制御が行われるので、第１の温度センサ31の検出温度Ｔ1 が沸騰危険温度ＴOFF 以上になることはないが、万一、Ｔ1 がＴOFF 以上となったときには、ステップ110 で第２の温度センサ32の検出温度Ｔ2 が沸騰危険温度ＴOFF 以上か否かを判断する。第２の温度センサ32の検出温度Ｔ2 も沸騰危険温度ＴOFF 以上となったときにはステップ111 でバーナ５の燃焼を中断停止する。
【００４１】
通常は、ステップ106 で第１の温度センサ31の検出温度Ｔ1 は沸騰危険温度ＴOFF 未満となるので、そのときは、次のステップ107 で第１の温度センサ31の検出温度Ｔ1 が下側しきい値温度Ｔth2 以下になったか否かを判断する。第１の燃焼面のＡ面のみの単面燃焼の状態にあっては、第２の燃焼面のＢ面側からは燃焼ファン６の空気が供給されて、第２の燃焼面の上側の給湯熱交換器２はファンの通風により冷却され、その冷却効果が第１の燃焼面のＡ面に対応する給湯熱交換器側に及ぶので、第１の温度センサ31で検出される温度Ｔ1 は低下する。
【００４２】
検出温度Ｔ1 がＴth2 以下になったときには、次のステップ108 で第２の温度センサ32の検出温度が同じく下側しきい値温度Ｔth2 以下になったか否かを判断し、第１の温度センサ31で検出される検出温度Ｔ1 と第２の温度センサ32で検出される検出温度Ｔ2 が共に下側しきい値温度Ｔth2 以下になったときには、沸騰危険温度ＴOFF に達するまでの余裕が大きいので、バーナ５をＡ面の単面燃焼状態からＡ面とＢ面の両面燃焼状態に切り替え駆動し、前記ステップ101 以降の動作を行う。前記ステップ107 において第１の温度センサ31の検出温度Ｔ1 が下側しきい値温度Ｔth2 よりも高いときと、次のステップ108 において第２の温度センサ32の検出温度Ｔ2 が下側しきい値温度Ｔth2 よりも高いときにはＡ面の単面燃焼状態でバーナ５を燃焼駆動する。
【００４３】
前記ステップ111 でバーナ５の燃焼が中断停止されたときには、次のステップ112 で第１の温度センサ31で検出される検出温度Ｔ1 が燃焼オン温度ＴON以下になったか否かを判断し、Ｔ1 がＴON以下になったときには次のステップ113 で第２の温度センサ32で検出される検出温度Ｔ2 が燃焼オン温度ＴON以下になったか否かを判断し、Ｔ1 とＴ2 が共にＴON以下になったときには、バーナ５を燃焼駆動しても給湯熱交換器２側の湯が沸騰する危険はないので、ステップ114 で点着火を行い、ステップ115 でＡ面とＢ面の両面燃焼によってバーナ５を燃焼駆動し、ステップ101 以下の動作を行う。
【００４４】
この第１実施形態例においては、追い焚き運転の燃焼熱量は第１の温度センサ31の検出温度Ｔ1 と第２の温度センサ32の検出温度Ｔ2 に無関係に設定されるので、従来例の如く第１の温度センサ31と第２の温度センサ32の検出情報に基づき追い焚き燃焼のＰＩ制御量ＦB を求める複雑な演算は省略でき、これにより、追い焚きの制御構成の大幅な簡易化を達成できる。
【００４５】
また、この実施形態例では、バーナ５の燃焼状態においては、追い焚き熱交換器３の出側に位置する第１の燃焼面Ａは必ず燃焼状態にあるので、バーナ５で燃焼加熱された追い焚きの循環湯水が燃焼ファン６の通風によって冷却されて追い焚き熱交換器３から浴槽18側に供給されるという従来例のバーナ加熱の無駄は発生することがなく、これにより、バーナ５の加熱効率が高まり、風呂の沸き上がりを早めることができる。
【００４６】
次に本発明の第２実施形態例を説明する。この第２実施形態例は、風呂温度センサ21の検出情報を利用し、風呂が沸き上がりに近い状態になったときには、バーナ５のＡ面のみの燃焼駆動は行わず、Ａ面とＢ面の両面燃焼とその燃焼停止を切り替え駆動するように構成するようにしたことを特徴とし、それ以外の構成は前記第１実施形態例と同様である。この第２実施形態例では、データメモリ40に風呂沸き上がり温度よりも下側に与えられる沸きあがり手前温度Ｔfmが格納される。例えば、風呂の設定温度（沸き上がり温度）が42℃の場合、沸き上がり手前温度Ｔfmとして、40℃が与えられる。
【００４７】
浴槽内湯水が風呂の沸き上がり温度に近い温度になると、バーナ５による第１の燃焼面のＡ面のみの単面燃焼駆動が行われる場合には、前記図５に示す給湯熱交換器２側の水管35と追い焚き熱交換器３側の水管36の水管配置構成において、追い焚き熱交換器側の水管36を通る循環湯水の温度が風呂沸き上がり温度に近い高温になるので、給湯熱交換器側の水管35内の湯の熱量を吸熱する効果が弱まり、第１の温度センサ31で検出される検出温度Ｔ1 と第２の温度センサ32で検出される検出温度Ｔ2 はバーナ５をＡ面の単面燃焼状態からＡ面とＢ面の両面燃焼駆動に切り替える下側しきい値温度Ｔth2 まで低下しにくくなり、Ａ面の単面燃焼時間が長くなり、追い焚き熱交換器３をＡ面とＢ面の両面燃焼による高い熱量で加熱できなくなる虞が生じる。このように、バーナ５のＡ面のみの単面燃焼駆動の時間が長くなると、バーナをＡ面とＢ面の両面燃焼によって加熱駆動する場合に比べ、風呂の沸き上がり時間がその分長くなる。この第２実施形態例では、このような問題点を解消する構成としている。
【００４８】
すなわち、この第２実施形態例では、燃焼面駆動制御部37内にメーンモード制御部41の他に、促進モード制御部42を設け、さらに、メーンモード制御部41の制御動作と促進モード制御部42の制御動作を風呂温度センサ21の検出情報に基づき切り替える制御モード切り替え部43を設けている。メーンモード制御部41は前記第１実施形態例におけるバーナ５の制御駆動を行う制御部（図３のフローチャートに示す制御動作を行う制御部）であり、促進モード制御部42はバーナ５のＡ面とＢ面の両面燃焼とその両面の燃焼の停止動作を切り替える制御部である。
【００４９】
すなわち、促進モード制御部42は、第１の温度センサ31の検出温度Ｔ1 と第２の温度センサ32の検出温度Ｔ2 の一方（又は両方）が沸騰危険温度ＴOFF 以上となったときにバーナ５の両面燃焼を中断停止し、このバーナの燃焼中断停止中に、第１の温度センサ31の検出温度Ｔ1 と第２の温度センサ32の検出温度Ｔ2 の両方（又は一方）が燃焼オン温度ＴON以下に低下したときに、第１の燃焼面Ａと第２の燃焼面Ｂの両面燃焼による燃焼駆動を再開制御する。
【００５０】
制御モード切り替え部43は、風呂温度センサ21の検出情報を取り込み、風呂温度センサ21で検出される風呂温度Ｔf が沸き上がり手前温度Ｔfm以下の場合にはメーンモード制御部41によるバーナ５の燃焼駆動を行い、風呂温度センサ21で検出される風呂温度Ｔf が風呂の沸き上がり温度に近くなったとき、つまり、沸き上がり手前温度Ｔfmを越えたときには、前記促進モード制御部42によるバーナ５の燃焼駆動に切り替えるものである。
【００５１】
次に、この第２実施形態例の追い焚き単独運転の一動作例を図４のフローチャートに基づき説明する。まず、追い焚き運転の開始時には、バーナ５をＡ面とＢ面の両面燃焼によって燃焼駆動する。そして、ステップ201 では風呂温度センサ21で検出される風呂温度Ｔf が沸き上がり手前温度Ｔfmを越えたか否かが判断される。風呂検出温度Ｔf がＴfm以下の場合には、前記第１実施形態例の図３に示す動作と同一のメーンモード制御部41による制御動作（メーンモード制御の動作）によってバーナ５の燃焼駆動を行う。
【００５２】
これに対し、風呂検出温度Ｔf が沸き上がり手前温度Ｔfmを越えたときには、ステップ202 で第１の温度センサ31の検出温度Ｔ1 が沸騰危険温度ＴOFF 以上となったか否かを判断し、Ｔ1 がＴOFF 以上のときには、ステップ204 で燃焼を中断停止する。第１の温度センサ31の検出温度Ｔ1 がＴOFF 未満であるときと、第２の温度センサ32の検出温度Ｔ2 がＴOFF 未満のときには、第１の燃焼面Ａと第２の燃焼面Ｂの両面燃焼によってバーナ５を燃焼継続させる。第１の温度センサ31の検出温度Ｔ1 がＴOFF 未満のときに第２の温度センサ32の検出温度Ｔ2 が沸騰危険温度ＴOFF 以上となったときには、ステップ204 でバーナ５の燃焼を中断停止する。そして、ステップ205 で第１の温度センサ31の検出温度Ｔ1 が燃焼オン温度ＴON以下に低下したか否かが判断され、検出温度Ｔ1 がＴON以下と判断されたときには、ステップ206 で第２の温度センサ32の検出温度Ｔ2 が同じくＴON以下になったか否かが判断される。前記検出温度Ｔ1 がＴON以下に低下していないときと、検出温度Ｔ2 が同じくＴON以下に低下していないときには燃焼の中断停止状態を継続する。
【００５３】
これに対し、第１の温度センサ31の検出温度Ｔ1 と第２の温度センサ32の検出温度Ｔ2 が共に燃焼オン温度ＴON以下になったときには、ステップ207 で点着火動作を行い、第１の燃焼面Ａと第２の燃焼面Ｂの両面燃焼駆動によってバーナ５を燃焼させ、風呂が沸き上がり温度に達するまで、ステップ202 から208 の動作を繰り返し行う。
【００５４】
この第２実施形態例においては、風呂温度が沸き上がり温度に近くなったときには、バーナ５の第１の燃焼面Ａのみの燃焼駆動を行わず、第１の燃焼面Ａと第２の燃焼面Ｂを共に燃焼させて追い焚きを行うように構成したものであるから、第１の燃焼面Ａのみの単面燃焼のみの燃焼駆動が長い時間連続的に行われるということはなく、バーナ５が燃焼駆動されるときには、必ずＡ面とＢ面の両面燃焼駆動によって燃焼が行われるので、Ａ面の単面燃焼駆動よりは大きな燃焼熱量を与えてバーナ５を燃焼させることができるので、風呂温度が沸き上がり手前温度Ｔfmを越えてから沸き上がるまでの時間をより短縮化することができると共に、前記第１実施形態例と同様な効果を奏することが可能である。
【００５５】
次の本発明の第３実施形態例を説明する。この第３実施形態例は、前記第２実施形態例と同様なバーナ５の燃焼駆動制御を風呂温度センサ21の検出情報に代えてバーナ５の第１の燃焼面Ａの単面燃焼の継続時間の検出情報に基づき風呂温度が沸き上がり温度に近くなったか否かを判断し、風呂温度が沸き上がり温度に近くなったときには、前記第２実施形態例と同様な動作を行うように構成したものである。
【００５６】
このため、第３実施形態例では、図１の破線で示す如く、時間計測手段としてのタイマ44が設けられており、制御モード切り替え部43はこのタイマ44の信号に基づきメーンモード制御部41と促進モード制御部42の制御モードを切り替える構成となっている。
【００５７】
すなわち、制御モード切り替え部43には判定基準時間（例えば60秒）が与えられており、制御モード切り替え部43は、バーナ５が第１燃焼面の単面燃焼駆動が開始されたときに、タイマ44を動作させ、このタイマ44から前記判定基準時間のタイムアップ信号が出力されるまで連続して第１の燃焼面Ａのみの単面燃焼駆動が行われているときには、風呂温度が沸き上がり温度に近くなったものと判断し、メーンモード制御部41によるバーナ５の燃焼駆動制御から、前記促進モード制御部42によるバーナ５の燃焼駆動制御に制御モードを切り替えるものであり、それ以外の構成は前記第２実施形態例と同様である。
【００５８】
この第３実施形態例では風呂温度が沸き上がり温度に近い温度まで高くなったときには、バーナ５のＡ面のみの単面燃焼時間が長くなることでこれを検出でき、さらに、追い焚き循環通路を循環する循環湯水の流量が、例えば、追い焚き循環通路に設けられるフィルタ等のごみ詰まり等に起因して循環湯水の流量が低下した場合もＡ面のみの単面燃焼時間が長くなることで、これを検出して制御モードを切り替える。ごみ詰まり等により循環流量が低下したときには、図５に示す水路の構成状態で、追い焚き熱交換器３内の水管36の温度が高くなるため、給湯熱交換器２の水管35の滞留湯温の熱が水管36の循環流に吸熱されにくくなり、バーナ５がＡ面のみの単面燃焼を行うと、第１の温度センサ31で検出される温度Ｔ1 と第２の温度センサ32で検出される温度Ｔ2 が下側しきい値温度Ｔth2 の温度までなかなか低下せず、Ａ面のみの単面燃焼状態が長時間に亙り、風呂の沸き上がり時間が遅くなる。
【００５９】
この問題を防止するために、第３実施形態例では、バーナ５の第１の燃焼面Ａの単面燃焼の連続継続時間が前記判定基準時間を越えたときには、風呂温度が沸き上がり温度に近くなったか、あるいは追い焚き循環流量がフィルタのごみ詰まり等により低下したものと判断し、バーナ５のＡ面のみの単面燃焼駆動を行わず、第１の温度センサ31で検出される検出温度Ｔ1 と第２の温度センサ32で検出されるＴ2 のどちらか一方（又は両方）が沸騰危険温度ＴOFF に達しないうちは、第１の燃焼面Ａと第２の燃焼面Ｂの両面燃焼によってバーナ５を燃焼駆動して風呂の沸き上がり温度を早めるようにバーナ５を燃焼駆動するものである。
【００６０】
この第３実施形態例のフローチャートは、例えば、図３のフローチャートのステップ105 でＡ面への単面燃焼切り替え後、ステップ106 からステップ108 の動作の途中で、Ａ面の単面燃焼開始後そのＡ面の単面燃焼継続時間が判定基準時間を越えたか否かを判断するステップ動作を入れ、Ａ面の単面燃焼継続時間が判定基準時間を越えない間は図３のフローチャートの動作と同じメーンモード制御によってバーナ５の燃焼駆動を行い、Ａ面の単面燃焼継続時間が判定基準時間を越えたときには、前記第２実施形態例の図４に示すステップ202 からステップ208 に至る動作を繰り返し行い、風呂の沸き上げを行うことになる。
【００６１】
この第３実施形態例においては、風呂の温度が沸き上がり温度に近くなったときや、追い焚きの循環湯水の流量がフィルタのゴミ詰まり等により低下したときには、第１の温度センサ31で検出される検出温度Ｔ1 と第２の温度センサ32で検出される検出温度Ｔ2 のどちらか一方（又は両方）が沸騰危険温度ＴOFF に達しない間はＡ面とＢ面の両面燃焼によりバーナ５の燃焼駆動が行われるので、バーナ５の燃焼加熱量がバーナ５のＡ面のみの単面燃焼の場合よりも大きくなり、風呂の沸き上げ時間の短縮化を効果的に図ることができる。また、バーナ５のＢ面の非燃焼状態が長く続かないのでその直上にあるＢ面に対応する熱交換器もまた必要以上に冷却されることがないので、結露発生による器具寿命の短命化も回避できる。
【００６２】
なお、本発明は上記各実施形態例に限定されることはなく、様々な実施の形態を採り得る。例えば、上記各実施形態例では、バーナ５がＡ面のみの単面燃焼駆動を行っているときには、バーナ５のＡ面の上がわの給湯熱交換器の温度、つまり、第１の温度センサ31の検出温度Ｔ1 が沸騰危険温度ＴOFF の温度にならないようにバーナ５の燃焼熱量を能力制限熱量ＰLIM の熱量でもって燃焼させるように能力制限熱量ＰLIM をデータメモリ40に与えて制御駆動したが、これとは異なり、例えば図１の破線で示すように単面燃焼能力制限部45を設けて、能力制限熱量ＰLIM を自動的に設定するようにしてもよい。この場合は、例えば、第１の温度センサ31の検出温度Ｔ1 を単面燃焼能力制御部45に加えるようにし、単面燃焼能力制限部45は、データメモリ40に与えられている沸騰危険温度ＴOFF と第１の温度センサ31の検出温度Ｔ1 を比較し、検出温度Ｔ1 が沸騰危険温度ＴOFF を越えないように風呂燃焼制御部38から比例弁10に加える燃焼熱量の制御操作量を補正制御する構成とすればよい。
【００６３】
また、バーナ５のＡ面のみの単面燃焼駆動時に、バーナ５の燃焼熱量を能力制限熱量ＰLIM に制限することを省略することも可能である。この場合には、Ａ面の単面燃焼駆動時に能力制限熱量ＰLIM よりも大きな加熱熱量がバーナ５の燃焼熱量として発生する場合が生じるが、給湯熱交換器２側が沸騰危険温度ＴOFF に達したときにはこれが温度センサ31，32で検出されてバーナ５の燃焼の中断停止が行われるので給湯側の沸騰に対する安全を確保することが可能である。ただ、能力制限熱量ＰLIM を与えることにより、Ａ面の単面燃焼駆動中に、温度センサ31，32の検出温度Ｔ1 ，Ｔ2 がより早く燃焼オン温度ＴONまで低下してＡ面とＢ面の両面燃焼駆動に移行することができるので、風呂をより早く沸かすには、Ａ面の単面燃焼駆動時の燃焼熱量を能力制限熱量ＰLIM にて制限することがより望ましい。
【００６４】
さらに、上記実施形態例では、沸騰危険温度ＴOFF 、上側しきい値温度Ｔth1 、下側しきい値温度Ｔth2 、燃焼オン温度ＴON等は、第１の温度センサ側と第２の温度センサ側を同じ温度の値で与えたが、これを異なる温度値で与えてもよい。この場合は、例えば、沸騰危険温度に対しては第１の温度センサ側はＴOFF ＝95℃、第２の温度センサ側はＴOFF ＝96℃という如く異なる値で与えることができる。
【００６５】
さらに、上記実施形態例では、バーナ５を追い焚き熱交換器３の出側に位置する第１の燃焼面Ａとそれよりも追い焚き熱交換器３の入側に配置される第２の燃焼面Ｂの２面のバーナを例にして説明したが、燃焼面は３面以上のものであってもよい。この場合も、追い焚き熱交換器３の出側に位置する第１の燃焼面Ａはバーナ５の燃焼駆動時には必ず燃焼状態に維持することになる。
【００６６】
さらに、上記各実施形態例では、バーナ５の燃焼駆動状態においては、第１の燃焼面Ａは燃焼状態を維持し、第２の燃焼面Ｂは温度センサ31，32の検出温度T 1 ，Ｔ2 の応じて燃焼と燃焼停止を切り替え駆動するように構成したが、この第２の燃焼面の切り替え駆動は、例えば、予め燃焼時間と燃焼停止時間をデータメモリ等に与えておき、その燃焼時間と燃焼停止時間に基づいて第２の燃焼面の燃焼と燃焼停止を制御するようにすることも可能である。
【００６７】
さらに、上記実施形態例では第１の燃焼面Ａと第２の燃焼面Ｂを１つのバーナユニットの燃焼面を区分して設けたが、図６に示す従来例と同様にバーナを複数設け、その一方のバーナの燃焼面を第１の燃焼面とし、他方のバーナの燃焼面を第２の燃焼面としてもよい。この場合も追い焚き熱交換器の出側に配置するバーナの燃焼面を第１の燃焼面Ａとすることになる。
【００６８】
【発明の効果】
本発明によれば、追い焚き運転時のバーナの燃焼熱量は給湯熱交換器側に設けられる温度センサの検出温度によって制限を受けずに与えられるので、バーナの燃焼熱量を求める演算の複雑化を避けることができ、これにより、追い焚きの制御構成を簡易化することができる。
【００６９】
また、本発明では、バーナの燃焼面を複数に区分し、第１の燃焼面を追い焚き熱交換器の出側に配置し、この第１の燃焼面よりは追い焚き熱交換器の入側に第２の燃焼面を配置し、バーナの燃焼駆動時には必ず追い焚き熱交換器の出側に配置される第１の燃焼面は燃焼駆動状態を維持するように構成したものであるから、追い焚き熱交換器から出る湯は第１の燃焼面で加熱された後、ファン通風により冷却されない状態で浴槽に供給されることとなり、従来例の如くバーナで加熱された湯が追い焚き熱交換器から出る前にファン通風により冷却されてしまうというバーナ加熱の無駄が生じることはなく、これにより、追い焚きの加熱効率を高め、風呂の沸き上げを大幅に早めることが可能となる。
【００７０】
さらに、バーナが第１の燃焼面のみの単面燃焼駆動時に、バーナの燃焼能力を給湯熱交換器内の湯が沸騰しない温度なるように制限した構成にあっては、バーナが第１の燃焼面のみの単面燃焼状態から、第１の燃焼面と第２の燃焼面の複数燃焼面の燃焼駆動に切り替わるまでの時間、つまり、給湯熱交換器側に設けられる第１の温度センサと第２の温度センサで検出される温度が上側しきい値温度から下側しきい値温度へ低下するまでの時間を短くすることができるので、バーナを複数面燃焼させる時間を多くすることができ、これにより、バーナの燃焼熱量を効果的に高めることができ、風呂の沸き上げ時間をより一層短くすることができる。
【００７１】
さらに、風呂沸き上がり温度よりも下側に沸き上がり手前温度を与え、風呂検出温度が沸き上がり手前温度を越えたときには、第１の燃焼面のみの単面燃焼駆動を止め、バーナの燃焼駆動を第１の燃焼面と第２の燃焼面の複数燃焼面駆動を行うように構成した発明にあっては、風呂が沸き上がり温度に近づいたときには、バーナの第１の燃焼面のみの単面燃焼を避けて、より燃焼熱量の大きい第１の燃焼面と第２の燃焼面の複数燃焼面による燃焼駆動を強制的に行うので、その分、風呂の沸き上がり時間をより短縮化させることができる。
【００７２】
さらに、バーナの第１燃焼面のみの単面燃焼駆動の連続燃焼時間が予め与えられた判定基準時間を越えたときには、第１の燃焼面のみの単面燃焼駆動を止め、第１の燃焼面と第２の燃焼面の複数燃焼面駆動に切り替える構成としたものにおいても、風呂温度が沸き上がり温度に近づいたときに、同様に第１の燃焼面と第２の燃焼面の複数面燃焼駆動によりバーナの燃焼駆動が制御されるので、風呂の沸き上げ時間を短縮化することができると共に、追い焚き循環流量がフィルタの目詰まり等により低下した場合においても、これを第１の燃焼面のみの単面燃焼の連続燃焼時間が長くなることによって検知され、この場合も同様に第１の燃焼面と第２の燃焼面の複数燃焼面によってバーナの燃焼駆動が行われるために、風呂の沸き上げ時間を短縮化できるという優れた効果を奏することが可能となる。
【図面の簡単な説明】
【図１】本発明の各実施形態例の要部構成を複合的に示すブロック図である。
【図２】本実施形態例における一缶二水路給湯装置のシステム構成図である。
【図３】第１実施形態例の動作を示すフローチャートである。
【図４】第２実施形態例の動作を示すフローチャートである。
【図５】給湯熱交換器の最上段の水路35と追い焚き熱交換器の最下段の水路36との接触配置構造の説明図である。
【図６】従来の一缶二水路給湯装置の説明図である。
【符号の説明】
31  第１の温度センサ
32  第２の温度センサ
37  燃焼面駆動制御部
38  風呂燃焼制御部
40  データメモリ
41  メーンモード制御部
42  促進モード制御部
43  制御モード切り替え部
Ａ  第１の燃焼面
Ｂ  第２の燃焼面
【図１】
0003859785.tif 000002
【図２】
0003859785.tif 000003
【図３】
0003859785.tif 000004
【図４】
0003859785.tif 000005
【図５】
0003859785.tif 000006
【図６】
0003859785.tif 000007